(57)【要約】【課題】  卓上用カレンダが包装機能を兼ねるようにし、構成要素の数を減らして製造原価を節減させる卓上用カレンダ、並びに、包装して配送する時に別途の包装箱が不要であるため、包装箱によるごみの排出を減らして環境汚染を減少させる卓上用カレンダの提供。【解決手段】  上記のような目的を達成するための本発明は、複数のカレンダ；前記カレンダを収容することのできる収納空間を備え、包装及びカレンダの支え台の役割ができる下箱；前記カレンダを前記下箱に連結させる連結手段；及び、前記下箱に結合される上蓋を含むことを特徴とする。このような本発明の構成を通じて下箱に上蓋を被せればカレンダが包装され、ただ上蓋を除去して下箱を立てたり、横にした状態でカレンダを下箱の収納空間から取り出して容易に卓上用カレンダを使用することができる。【選択図】  図１
2005199525.tif 000002
【特許請求の範囲】
【請求項１】
複数のカレンダ；
前記カレンダを収容することのできる収納空間を備え、包装及びカレンダの支え台の役割ができる下箱；
前記カレンダを前記下箱に連結させる連結手段；及び
前記下箱に結合される上蓋；を含む卓上用カレンダ。
【請求項２】
前記連結手段が、前記下箱の一側から一体に延長されながら前記カレンダに結合される連結板を備えたことを特徴とする請求項１に記載の卓上用カレンダ。
【請求項３】
前記連結手段が、前記カレンダに一端が結合されると共に他端が前記下箱に取付けられる連結板を備えたことを特徴とする請求項１に記載の卓上用カレンダ。
【請求項４】
前記連結板に切取線を介して差込突起が形成され、前記差込突起が差込まれる差込孔が前記下箱に形成されたことを特徴とする請求項３に記載の卓上用カレンダ。
【請求項５】
前記連結板に他の差込突起が延長されるように形成され、この差込突起が差込まれる差込孔が前記下箱に形成されたことを特徴とする請求項４に記載の卓上用カレンダ。
【請求項６】
前記連結板の一端が延長形成されて下箱の底面に安着して支持されることを特徴とする請求項４に記載の卓上用カレンダ。
【請求項７】
前記下箱は角側に一定の厚さを有する枠面部が提供され、前記枠面部の裏側を連結する背面部を備えたことを特徴とする請求項１に記載の卓上用カレンダ。
【請求項８】
前記背面部は前記収納空間に収納されたカレンダまたは連結板を前記収納空間の外側に押し出せるように押出孔が設けられたことを特徴とする請求項７に記載の卓上用カレンダ。
【請求項９】
前記背面部は前記カレンダがテーブルに立てられる場合、前記カレンダの移動を制限するための係止突出部が備えられることを特徴とする請求項７に記載の卓上用カレンダ。
【請求項１０】
複数のカレンダ；
前記カレンダを収容することのできる収納空間を備え、包装及びカレンダの支え台の役割をするように立てて支持することができる支持手段が備えられた下箱；及び
前記下箱に結合される上蓋；を含む卓上用カレンダ。
【請求項１１】
前記支持手段が前記下箱に設けられた背面部に後方に反り返すように形成された２個の第１支え片と、この第１支え片を差込んで支持するように形成された第１差込片とを備えたことを特徴とする請求項１０に記載の卓上用カレンダ。
【請求項１２】
前記第１支え片と第１差込片に垂直な方向に第２支え片と第２差込片とが追加して形成されたことを特徴とする請求項１１に記載の卓上用カレンダ。
【請求項１３】
前記カレンダを覆って保護するための透明板紙が追加して備えられ、前記透明板紙は前記下箱に差込まれて支持されることを特徴とする請求項１０に記載の卓上用カレンダ。
【請求項１４】
前記支持手段が前記下箱に差込まれて支持される補強板とこの補強板に後方に反り返すように形成された２個の支え片とこの支え片を差込んで支持するように形成された差込片及び、前記支え片と差込片とが下箱に設けられた背面部を通じて後方に反り返すように背面に形成された通孔を備えたことを特徴とする請求項１０に記載の卓上用カレンダ。
【請求項１５】
前記補強板が前記カレンダに結合された連結板に延長されるように形成されたことを特徴とする請求項１４に記載の卓上用カレンダ。
【請求項１６】
アルバムや、商品マニュアル、カタログ、画譜集；
前記アルバムや、商品マニュアル、カタログ、画譜集を収容することのできる収納空間を備え、包装及び支え台の役割ができる下箱；
前記アルバムや、商品マニュアル、カタログ、画譜集を前記下箱に連結させる連結手段；及び、
前記下箱に結合される上蓋；を含む卓上用アルバム。
【発明の詳細な説明】
【技術分野】
【０００１】
本発明は、卓上用カレンダに関し、より詳しくは、包装の機能が付加されると同時にカレンダをテーブルに置いて便利に使用することができる卓上用カレンダに関する。
【背景技術】
【０００２】
一般に卓上用カレンダはテーブルに立てられた状態で置けるように三角形形態の厚い板紙からなる支持台を備えており、前記支持台に何枚かのカレンダがコイルスプリングによって結合されている。このような卓上用カレンダは郵便などを通じて配送する場合に別途の包装ボックスなどを利用して包装するようになる。このような卓上用カレンダは製造原価で多くの部分を占める支持台及び別途の包装ボックスなどが必要であるため製造費用が増大する問題点を有する。そして卓上用カレンダを包装した包装箱などはごみとなって環境汚染を加重させる問題点を有する。
【発明の開示】
【発明が解決しようとする課題】
【０００３】
本発明の目的は、卓上用カレンダが包装機能を兼ねるようにし、構成要素の数を減らして製造原価を節減させる卓上用カレンダを提供することである。
【０００４】
また本発明の目的は、包装して配送する時に別途の包装箱が不要であるため、包装箱によるごみの排出を減らして環境汚染を減少させる卓上用カレンダを提供することである。
【課題を解決するための手段】
【０００５】
上記のような目的を達成するための本発明は、複数のカレンダ；前記カレンダを収容することのできる収納空間を備え、包装及びカレンダの支え台の役割ができる下箱；前記カレンダを前記下箱に連結させる連結手段；及び、前記下箱に結合される上蓋；を含むことを特徴とする。
【０００６】
このような本発明の構成を通じて下箱に上蓋を被せればカレンダが包装され、ただ上蓋を除去して下箱を立てたり、横にした状態でカレンダを下箱の収納空間から取り出して容易に卓上用カレンダを使用することができる。
【発明の効果】
【０００７】
本発明により、カレンダに包装機能が提供され、既存の三角形状からなるカレンダ支持台を除去して構成要素の数を減らしてカレンダの生産費用を減らすことができ、カレンダを包装した包装ボックスはカレンダ支え台として利用してごみの排出を減らすことができる効果を有する。
【発明を実施するための最良の形態】
【０００８】
以下、本発明の実施例を添付図によって詳述する。
図１は本発明の実施例による卓上用カレンダを説明するための斜視図であり、下箱１と、この下箱１に収容されるカレンダ３及び、下箱１に被せて包装することができる上蓋５を示している。
【０００９】
下箱１は内部にカレンダ３を収容することのできる収納空間が備えられる。そして下箱１は収納空間をなすように外周に一定の大きさを有する枠面部１ａを備えている。そして枠面部１ａを連結する背面部（図４に示す）を備えている。枠面部１ａはカレンダ３がテーブルに配置される時、その厚さの程度によって外観の美麗さを演出することができる機能を有することができる。
【００１０】
また下箱１は先方底面に結合されたり一体に延長して形成される連結板７（図３に示す）を備える。連結板７は別途の部材からなり下箱１に結合されることができ、下箱１の一部分が延長された状態でなすことができる。特に連結板７は下箱１に結合された部分の反対側は自由端からなる。
【００１１】
そしてカレンダ３は複数からなることができ、連結板７の自由端部に連結部材９で連結される。連結部材９はコイルスプリング形態など通常のものでなることができ、カレンダ３が前、後面側に捲られるように構成される。
【００１２】
図２は本発明の実施例による使用状態を示した斜視図であり、図３は図２のＡ−Ａ断面図であり、下箱１を立てた状態で使用する例を表している。
【００１３】
一方、図４は下箱１の後部分を示した図面であり、背面部１ｂの中間部分に押出孔１ｃが形成されている。押出孔１ｃは連結板７及びカレンダ３が下箱１の収納空間に挿入されている場合、指などを挿入して連結板７またはカレンダ３を押して収納空間の外側に押し出せるようにするものである。このような押出孔１ｃは連結板７及びカレンダ３が下箱１の収納空間に密着して無理に差込結合された場合に非常に有用である。
【００１４】
さらに、背面部１ｂには一部分が切開されて収納空間側に突出される係止突出部１ｄが少なくとも１つ以上形成されている。係止突出部１ｄは図５に示すようにカレンダ３を下箱１に立てる場合、カレンダ３の一部が接触して滑りを防止するようにするためのものである。
【００１５】
上述した実施例では紙類などから作ることのできる例を図に示して説明しているが、これに限定されるものではなく、木材や合成樹脂材などから作ることが可能である。
【００１６】
このように構成される卓上用カレンダは、包装する必要がある場合には連結板７に結合されたカレンダが下箱１の内部の収納空間に受容されるように配置し、上蓋５を下箱１に被せる。上蓋５は箱形態からなることを図に示して説明したが、ここに限定されるものではなく、互いに対向する面が開口部をなして４個の面をなす形態のものが使用され得る（図示なし）。
【００１７】
そして卓上用カレンダをテーブルに立てる必要がある場合には、図２の形態で下箱１を立てれば良い。そして必要によってカレンダ３を捲る必要があれば背面部１ｂに提供された押出孔１ｃに指などを挿入して連結板７またはカレンダ３を押し出す。そうすれば、カレンダ３は下箱１の収納空間から離脱される。そうすることにより、カレンダ３を捲ることが可能な状態になって必要なだけカレンダを捲り、また収納空間内に押し入れる。そうすれば、カレンダ３を連結している連結部材９が収納空間の内部に密着して傾いて固定される（図３に示す）。
【００１８】
また別の使用例として図５に示すように、下箱１の背面部１ｂがテーブル（図示なし）の底面に位置するよう配置し、カレンダ３を捲って立てる。この時、係止突出部１ｄは立てられた状態でカレンダ３の移動を制限して立てられた状態が維持されるのである。
【００１９】
図６は連結板７とカレンダ３との他の結合例を説明するための図面であり、下箱１から一体に延長されて形成されたり、あるいは別途の部材で形成されて下箱１に結合された連結板７に接着剤などでカレンダ３が取付けられる例を示している。このような実施例の場合、上述した実施例と作用及び効果は同一であるが、さらに多様な構成によって本発明の目的を果たすことができる例を示すものである。もちろん連結板７にカレンダ３が結合されることは、上述した接着剤だけでなく、両面テープまたはベルクロファスナなど多様な結合手段が利用されうる。
【００２０】
図７は本発明の他の実施例による連結板７を有する卓上用カレンダを示したものであり、下箱１とは別に形成された連結板７の一側端部が連結部材９を介してカレンダ３に結合し、連結板７の他側端部がカレンダ３より縦長方向に若干さらに長く形成されて延長部７ａを有し、延長部７ａが下箱１の枠面部１ａに接着剤、両面テープなどによって取付けられる。従って、下箱１とカレンダ３との着脱が容易であり、下箱３の製作が便利になる利点がある。
【００２１】
図８ないし図１０は本発明のまた別の実施例による連結板７を有する卓上用カレンダを示したものであり、連結板７の延長部７ａの長手方向に沿った端部の２箇所に２個ずつの切り取り部を形成して２個の差込突起７ａａを形成し、この差込突起７ａａが結合される差込孔１ａａを下箱１に形成した構造からなる。従って、図７の実施例より簡便にカレンダ３を下箱１に結合させたり分離させることができる。
【００２２】
図１１では連結板７の延長部７ａの縦長方向長さをさらに延長して下箱の背面部に接するようにすることによって、卓上用カレンダを下箱１の底面により安定するように支持させることができる利点がある。
【００２３】
図１２と図１３では図８に示された延長部７ａの端部に追加して差込突起７ａｂを延長形成し、差込突起７ａｂに相応する差込孔１ａｂを下箱１に形成し、差込突起７ａａ、７ａｂと差込孔１ａａ、１ａｂとを結合させて連結板７と下箱１とを連結することにより、カレンダ３と下箱１との結合力がさらに堅固になる利点がある。
【００２４】
図１４は本発明の他の実施例による下箱を備えたカレンダの斜視図であり、図１５は図１４の結合状態図であり、図１６ａ、１６ｂ、１６ｃは本発明の他の実施例による下箱の要部組立過程を順番に表わした例示図であるが、即ち、下箱１の背面部１ｂ下部に２個の切取線が互いに対称するように形成され、この切取線によって２個の支え片１ｅが後方に折曲され得るように形成される。支え片１ｅは略翼形状を有し、また後方に反り返されるようになれば、背面部１ｂには通孔１ｆが形成されるようになる。
【００２５】
支え片１ｅが後方に反り返された状態で支え片１ｅを固定できるように差込片１ｇが背面部１ｂに切取線を媒介に形成されるが、この差込片１ｇには２個の差込スリット１ｈが所定間隔を置いて形成され、支え片１ｅを後方へ略９０度の角度に反り返した状態で差込片１ｇを支え片１ｅに垂直に後方に反り返した後、差込片１ｇの差込スリット１ｈに支え片１ｅを差込むようにすれば、後方に反り返した支え片１ｅを差込片１ｇで固定できるようになる。
【００２６】
従って、図１５に示されるように下箱１をテーブルの上に置いた状態で後方に傾くようにすれば、下箱１が２個の支え片１ｅを介して安定した状態に支持されるようになり、カレンダ３を下箱１に収納した状態で便利に使用することができるようになる。
【００２７】
図１７はカレンダ３の代りに、例えば写真３ａが使われた場合を示したものであり、写真３ａを覆って保護するために透明板紙８が追加して備えられ、透明板紙８の枠には複数の差込突起８ａが形成され、この差込突起８ａが差込まれる差込孔１ｉが下箱１に複数個形成されている。
【００２８】
従って、本発明の下箱を卓上用額縁としても便利に使用することができるようになる。
【００２９】
図１８は本発明のまた別の実施例による下箱と補強板とを有するカレンダの分解斜視図であり、図１９は図１８の結合状態断面図であるが、上記実施例とその構成が類似するが、支え片１ｅと差込片１ｇとを別途の補強板２に形成し、支え片１ｅなどが下箱１の後方に反り返すように下箱１の背面部１ｂに通孔１ｆを形成した構造に差異がある。
【００３０】
さらに、補強板２の枠には複数の差込突起２ｄが形成され、この差込突起２ｄが差込まれる差込孔１ｉが下箱１に複数個形成されている。
【００３１】
従って、補強板２の差込突起２ｄを下箱１の差込孔１ｉに差込んで補強板２を下箱１に結合させ、以後支え片１ｅと差込片１ｇをそれぞれ通孔１ｆを通じて後方に反り返した後に組立てれば、図１９の状態でカレンダ３を便利に使用することができるようになる。
【００３２】
図２０は図１８の実施例と図１４の実施例とを結合した状態を示す断面図であり、補強板２と下箱１の背面部１ｄにそれぞれ支え片１ｅと差込片１ｇが備えられた構造である。従って、必要によって下箱１の横長方向または縦長方向に下箱１を立てて支持させることができる。
【００３３】
図２１は図１８の変形実施例を示した分解斜視図であり、図２２は図２１の結合状態断面図であるが、即ち一側端部がカレンダ３に結合された連結板７の他側端部に上記の実施例の補強板２が一体に延長して形成された構造を除く残りの構造は図１８の実施例と同一である。
【００３４】
一方、本発明をカレンダに適用して説明したが、カレンダと類似するアルバムや、あるいは商品マニュアル、カタログ、画譜集などのように紙やビニール、フィルム、薄いプラスチックなど綴じることのできる製品などにすべて適用されうることはもちろんである。
【図面の簡単な説明】
【００３５】
【図１】本発明の実施例による卓上用カレンダを説明するための斜視図である。
【図２】本発明の実施例による卓上用カレンダとの使用状態を示す斜視図である。
【図３】図２のＡ−Ａを切開して示した断面図である。
【図４】本発明の実施例によるカレンダの他の側面の斜視図である。
【図５】本発明の実施例によるカレンダの他の使用状態を示した斜視図である。
【図６】本発明の実施例による連結板とカレンダの他の結合例を説明する斜視図である。
【図７】本発明の他の実施例に連結板を備えたカレンダの斜視図である。
【図８】本発明のまた他の実施例に連結板を備えたカレンダの斜視図である。
【図９】図８の使用状態斜視図である。
【図１０】図９の要部断面図である。
【図１１】本発明のまた別の実施例による連結板を備えたカレンダの斜視図である。
【図１２】本発明のまた別の実施例による連結板を備えたカレンダの斜視図である。
【図１３】図１２の要部断面図である。
【図１４】本発明の他の実施例による下箱を備えたカレンダの斜視図である。
【図１５】図１４の結合状態図である。
【図１６ａ】本発明の他の実施例による下箱の要部組立過程を順番に表わした例示図である。
【図１６ｂ】本発明の他の実施例による下箱の要部組立過程を順番に表わした例示図である。
【図１６ｃ】本発明の他の実施例による下箱の要部組立過程を順番に表わした例示図である。
【図１７】本発明のまた別の実施例によって下箱を卓上用額縁として使用した場合の例示図である。
【図１８】本発明のまた別の実施例による下箱と補強板とを有するカレンダの分解斜視図である。
【図１９】図１８の結合状態断面図である。
【図２０】図１４の実施例と図１８の実施例とを結合した状態を示す断面図である。
【図２１】図１８のまた別の変形実施例を表わした分解斜視図である。
【図２２】図２１の結合状態断面図である。
【符号の説明】
【００３６】
１  下箱
１ａ  枠面部
１ａａ、１ａｂ  差込孔
１ｂ  背面部
１ｃ  押出孔
１ｄ  係止突出部
１ｅ  支え片
１ｆ  通孔
１ｇ  差込片
１ｈ  差込スリット
１ｉ  差込孔
２  補強板
２ｄ  差込突起
３  カレンダ
３ａ  写真
５  上蓋
７  連結板
７ａ  延長部
７ａａ、７ａｂ  差込突起
８  透明板紙
８ａ  差込突起
９  連結部材
【図１】
2005199525.tif 000003
【図２】
2005199525.tif 000004
【図３】
2005199525.tif 000005
【図４】
2005199525.tif 000006
【図５】
2005199525.tif 000007
【図６】
2005199525.tif 000008
【図７】
2005199525.tif 000009
【図８】
2005199525.tif 000010
【図９】
2005199525.tif 000011
【図１０】
2005199525.tif 000012
【図１１】
2005199525.tif 000013
【図１２】
2005199525.tif 000014
【図１３】
2005199525.tif 000015
【図１４】
2005199525.tif 000016
【図１５】
2005199525.tif 000017
【図１６ａ】
2005199525.tif 000018
【図１６ｂ】
2005199525.tif 000019
【図１６ｃ】
2005199525.tif 000020
【図１７】
2005199525.tif 000021
【図１８】
2005199525.tif 000022
【図１９】
2005199525.tif 000023
【図２０】
2005199525.tif 000024
【図２１】
2005199525.tif 000025
【図２２】
2005199525.tif 000026